(57)【特許請求の範囲】
【請求項１】
集音機能を有する集音手段を内部に備える集音器本体（２５）を中央部に保持し前記集音器本体（２５）の外周部を取り囲み閉じた空洞を備え樹脂エラストマーで形成されている弾性空洞形成体（１１）と、
前記弾性空洞形成体（１１）の前記閉じた空洞に封入され振動を減衰させるための振動減衰用液体（１７）と、
前記弾性空洞形成体（１１）を中央部に保持し前記弾性空洞形成体（１１）の外周部を取り囲む防振装置本体（１）と
からなる集音器の防振装置において、
前記弾性空洞形成体（１１）と前記集音器本体（２５）との間に介設され、前記弾性空洞形成体（１１）の内側部に一体的に結合し、前記弾性空洞形成体（１１）が囲む中央の軸線の軸線方向に前記集音器本体（２５）を支持するための軸方向支持体（２１）と
からなることを特徴とする集音器の防振装置。
【請求項２】
請求項１において、
前記弾性空洞形成体（１１）は、前記空洞が環状であるように環状に形成され、前記集音器本体（２５）の外周面（２６）を保持できるように形成され、前記防振装置本体（１）が備える内周面（５）に前記弾性空洞形成体（１１）が備える外周面（２２）が接し接合されていることを特徴とする集音器の防振装置。
【請求項３】
請求項１において、
前記弾性空洞形成体（１１）は、前記空洞が環状であるように環状に形成され、前記集音器本体（２５）は外周面（２６）を持つように形成され、前記防振装置本体（１）が備える内周面（５）に前記弾性空洞形成体（１１）の外周面が内接し、前記軸方向支持体（２１）は環状であり、前記軸方向支持体（２１）の外周面が前記弾性空洞形成体（１１）の内周面に内接していることを特徴とする集音器の防振装置。
【発明の詳細な説明】
【０００１】
【産業上の利用分野】
本発明は、集音器の防振装置に関する。さらに詳しくは、集音器を支持する支持台、集音器を内蔵している録音・録画装置の本体ケーシングを介して低音・高音の雑音を樹脂・金属の固体部分に伝達する固体音を集音器が拾うのを防止するための集音器の防振装置に関する。
【０００２】
【従来の技術】
会議用机の上に置かれた高性能な集音器は、机が発する雑音を集音器本体の樹脂・金属の固体部分を通して確実に拾いあげる。録音・録画装置に内蔵されている集音器は、録音・録画装置のケーシングが拾う雑音を集音器本体の樹脂・金属の固体部分を通して確実に拾いあげる。防振ゴム、スプリングのような防振・減衰手段を介して集音器を支持台・ケーシングに支持することにより、外部からの雑音を拾い難くしたものが知られている。
【０００３】
【発明が解決しようとする課題】
しかし、防振ゴム、スプリングのような防振・減衰手段を介して集音器を支持台・ケーシングに支持することにより、外部からの雑音を拾い難くしたものは、防振ゴム、スプリングのような半固体・固体中を伝達して高音の雑音が集音本体に達する。
【０００４】
この発明は上述のような技術的背景のもとになされたものであり、下記目的を達成する。
【０００５】
この発明の目的は、外部音が伝達し難い液体の防振・減衰手段を用いることにより外部からの雑音及び自らを収蔵している機器が発する雑音が集音器の集音部に伝達しないようにした集音器の防振装置を提供することにある。
【０００６】
この発明の他の目的は、低廉な集音器の防振装置を提供することにある。
【０００７】
【課題を解決するための手段】
この発明は、前記目的を達成するため、次の手段を採る。
【０００８】
本発明１の集音器の防振装置は、
集音機能を有する集音手段を内部に備える集音器本体（２５）を中央部に保持し前記集音器本体（２５）の外周部を取り囲み閉じた空洞を備え樹脂エラストマーで形成されている弾性空洞形成体（１１）と、
前記弾性空洞形成体（１１）の前記閉じた空洞に封入され振動を減衰させるための振動減衰用液体（１７）と、
前記弾性空洞形成体（１１）を中央部に保持し前記弾性空洞形成体（１１）の外周部を取り囲む防振装置本体（１）と
からなる集音器の防振装置において、
前記弾性空洞形成体（１１）と前記集音器本体（２５）との間に介設され、前記弾性空洞形成体（１１）の内側部に一体的に結合し、前記弾性空洞形成体（１１）が囲む中央の軸線の軸線方向に前記集音器本体（２５）を支持するための軸方向支持体（２１）とからなる。
【０００９】
本発明２の集音器の防振装置は、本発明１において、
前記弾性空洞形成体（１１）は、前記空洞が環状であるように環状に形成され、前記集音器本体（２５）の外周面（２６）を保持できるように形成され、前記防振装置本体（１）が備える内周面（５）に前記弾性空洞形成体（１１）が備える外周面（２２）が接し接合されていることを特徴とする。
【００１０】
本発明３の集音器の防振装置は、本発明１において、
前記弾性空洞形成体（１１）は、前記空洞が環状であるように環状に形成され、前記集音器本体（２５）は外周面（２６）を持つように形成され、前記防振装置本体（１）が備える内周面（５）に前記弾性空洞形成体（１１）の外周面が内接し、前記軸方向支持体（２１）は環状であり、前記軸方向支持体（２１）の外周面が前記弾性空洞形成体（１１）の内周面に内接していることを特徴とする。
【００１２】
【作用】
この発明の集音器の防振装置は、伸縮自在の袋と液体との界面で伝達する音波が消滅し減衰する。柔らかいゴム状材質の伸縮自在の袋の中の液体中を伝わる音波が減衰し、高音成分が減衰する。弾性の袋により集音器本体が宙づりになっている。集音器本体と外部環境との間の共振がない。低音成分も集音器本体に伝播しない。
【００１３】
【実施例】
（実施例１）
次に、本発明の実施例を説明する。図１は本発明の集音器の防振装置の実施例１を示す断面図である。図１に示す防振装置本体１は、机上に置かれる集音器支持台（図示せず）に取付られたり、ビデオ機器の本体ケーシング２にビス３により取り付けられたりする。防振装置本体１と本体ケーシング２を射出成形により一体に成形することがある。防振装置本体１には、ＡＢＳ樹脂、ポリカーボネート、ＰＰ、ＰＢＴ、ナイロン６，１１，１２などの機械的強度が強く、成形性がよい樹脂、いわゆるエンジニアリング・プラスチクスを用いることができる。
【００１４】
防振装置本体１は、中央部に円筒状取付部４を備えている。円筒状取付部４は円筒状内周面５を備えている。円筒状取付部４の環状端面６に接して円筒状取付部４に弾性支持体７が接合されている。弾性支持体７は、円筒状取付部４の環状端面６に合致して接する環状面８及び円筒状取付部４の外周面９に接合する内周面１０を備えている。
【００１５】
弾性支持体７には、各種の軟質又は硬質の熱可塑性弾性材料を用いることができる。熱可塑性弾性材料として、各種エラストマーを用いることができる。このような熱可塑性弾性材料としては、たとえば、ナイロン・エラストマー、ポリウレタン系エラストマー、ポリエステル系エラストマーなどから選択される。特に、前記エンジニアリング・プラスチクスから選ばれる材料に対して、熱融着性がある軟質又は硬質の弾性材料が選ばれる。円筒状取付部４と弾性支持体７は、１体射出成形により熱融着させることができる。１体成形時の溶融樹脂の自らの熱で相手側樹脂が再溶融化して互いに融合して１体化する。
【００１６】
円筒状取付部４の内側に弾性空洞形成体として環状の吸音用緩衝袋１１が設けられる。吸音用緩衝袋１１は、外周壁１２と内周壁１３と外側に膨らんだ環状外壁１４と後述する環状密封蓋１５とから構成されている。吸音用緩衝袋１１には、軟質の前記エラストマーが用いられている。厚みは約０．５ｍｍである。外周壁１２と内周壁１３と環状外壁１４は射出成形により生産することができる。
【００１７】
吸音用緩衝袋１１は閉じた空間を内部に形成する。閉じた空間である環状空洞１６に振動減衰材１７が封入されている。振動減衰材１７として、各種シリコンオイルを用いることができる。この場合、粘性が高いものが用いられる。振動減衰材１７としては例えば、１００００〜５００００センチポイズ程度の粘性を有するシリコンが用いられる。なお、振動減衰材１７として、高発泡率の各種発泡体にシリコンオイルを含浸させたものを用いることができる。発泡体の材料として、ナイロン・エラストマー、ポリウレタン系エラストマー、ポリエステル系エラストマーなどを用いることができる。
【００１８】
密封蓋１５の内周壁１３の内周面に軸方向支持体２１が内接し接合している。吸音用緩衝袋１１の外周壁１２の外周面２２は、円筒状取付部４の内周面に接している。軸方向支持体２１は、弾性空洞形成体である吸音用緩衝袋１１と後述する集音器本体との間に介設されている。
【００１９】
軸方向支持体２１は環状体であり中心軸線Ｌを持つ。集音器本体２５が、吸音用緩衝袋１１の内側に挿入される。集音器本体２５は、外周面２６を有する。この場合、円筒状外周面である。集音器本体２５の外周面２６は、吸音用緩衝袋１１の内周面に接している。
【００２０】
集音器本体２５の小径外周面は、軸方向支持体２１の内周面に接している。集音器本体２５は内部に図示しない公知の振動子などから構成される集音手段を備えている。振動子は、集音器本体２５に振動自在に支持されている。振動子その他の集音録音用の常用手段は周知であるのでその説明は省略する。
【００２１】
次に、防振装置本体１と吸音用緩衝袋１１と弾性支持体７と軸方向支持体２１の射出成形による組立方法の１例を説明する。図２は、第１組立工程を示している。相対的に可動な型要素３０，３１を用いる。型要素３０，３１のどちらかに別工程で成形により生産した防振装置本体１をはめ込む。
【００２２】
型要素３１には、外周壁１２と内周壁１３と環状外壁１４とで形成される空洞３４に相当する環状の型要素部分３２が設けられている。型要素３０と型要素３１と防振装置本体１とで形成するキャビティー３３に型要素３０に形成したランナー、ゲート３４からエラストマー用樹脂を注入する。
【００２３】
図３は、次の第２組立工程を示している。外周壁１２と内周壁１３と環状外壁１４と防振装置本体１とからなる半製品３５の空洞３６に１部又は全部がはまりこむ環状突起３７ａを備える型要素３８を用いる。型要素３８に対面し型要素３８に対して相対的に可動な型要素４０が用いられている。
【００２４】
型要素４０と型要素３８と半製品３５とで軸方向支持体２１に相当するキャビティー４１が形成されている。型要素４０の可動方向に直交する方向に可動な型要素４２，４２が用いられている。型要素４２，４２と型要素３８と半製品３５とで弾性支持体７に相当するキャビティー４３が形成されている。キャビティー４１とキャビティー４３とは、これらを独立空洞にせず複数箇所の連結用空洞で１つにすることができる。
【００２５】
キャビティー４１及びキャビティー４３に型要素３８に形成したランナー、ゲート４４及び４５からエラストマー用樹脂を注入する。第２組立工程で生産した第２半製品の空洞３４に、図４に示すように、振動減衰材１７を入れる。空洞３４の開放端部に別工程で生産した密封蓋２０を圧入する。この圧入は、特開平４−１５７６９１号公報に記載されている方法に似た方法を採る。密封蓋１５と吸音用緩衝袋１１とは、高周波加熱などの公知の熱溶着手段により熱融着して１体化する。このように、吸音用緩衝袋１１と弾性支持体７と密封蓋２０と軸方向支持体２１とは熱融合により１体化される。
【００２６】
次に、前記実施例の動作を説明する。防振装置本体１は、電子機器例えばビデオ機器のケーシングに取り付けられている。あるいは、机の上に置いた支持台本体にはめ込まれる。ビデオ機器のケーシングは、人の肩に載せられたり地上に設置される撮影用脚台に固定されている。机、人の肩、撮影用脚台を介して硬い音（高音）が、本体ケーシング２に伝達される。
【００２７】
この音波は、防振装置本体１に伝達される。防振装置本体１に伝達された音波は、弾性支持体７に伝播される。エラストマーで形成されている弾性支持体７と防振装置本体１の円筒状取付部４とは固有振動数が異なるので互いに共振しにくい。従って、円筒状取付部４に伝播された音波は弾性支持体７に伝達しにくい。
【００２８】
弾性支持体７に伝播された音波は吸音用緩衝袋１１の密封蓋１５を介して、円筒状取付部４に伝播された音波は吸音用緩衝袋１１の外周壁１２を介して振動減衰材１７に伝達される。振動減衰材１７に伝播された音波は、粘性が高く色々の周波数を吸収しやすい振動減衰材１７に吸収され減衰する。
【００２９】
特に硬い音が吸収され減衰し、集音器本体２５に伝播する音波はほんの一部である。また、集音器本体２５は、吸音用緩衝袋１１及び吸音用緩衝袋１１と１体の軸方向支持体２１に弾性的に支持されているので、円筒状取付部４と環状内壁１５の共振は起きない。このように吸音効果と共振防止効果により、集音器本体２５には、本体ケーシング２で発生する音波は集音器本体２５に伝播しない。
【００３０】
（実施例２）
図５は、本発明の集音器の防振装置の実施例２を示す。筒状取付部４が円筒状内周面５を備え、円筒状取付部４の環状端面６に接して円筒状取付部４に弾性支持体７が接合されている点は、実施例１と同様である。実施例１は密封蓋１５が吸音用緩衝袋１１の内周面に熱融着しているが、実施例２では密封蓋１５の端面が吸音用緩衝袋１１の端面に突き合わせ溶接（熱融着）されている。実施例２の密封蓋１５は、凸状に膨らんでいる点で実施例１の密封蓋１５と異なる。
【００３１】
（その他の実施例）
円筒状取付部４の内周面と吸音用緩衝袋１１の外周面との間は、成形時に熱融着させることができる。吸音用緩衝袋１１の断面形は同心円に限られず、楕円、角形でよく、また、吸音用緩衝袋１１は空洞が１つの連続環に限られず、分割された複数の空洞からできていても減衰効果は同様である。
【００３２】
【発明の効果】
この発明によると、次の効果が奏される。吸音効果と共振防止効果により、外部の固体を介して伝播する音波が集音器に伝播しないので、集音器は雑音を拾わない。また、製造コストが低い。
【図面の簡単な説明】
【図１】図１は、本発明の集音器の防振装置の実施例１を示し、断面図である。
【図２】図２は、組立の第１工程に用いる射出成形機用型の断面図である。
【図３】図３は、組立の第２工程に用いる射出成形機用型の断面図である。
【図４】図４は、組立の第３工程を示す断面図である。
【図５】図５は、本発明の集音器の防振装置の実施例２を示し、断面図である。
【符号の説明】
１…防振装置本体
４…円筒状取付部
５…内周面
７…弾性支持体
１１…吸音用緩衝袋
１７…振動減衰材
２５…集音器本体
２６…外周面
【図１】
0003549065.tif 000002
【図２】
0003549065.tif 000003
【図３】
0003549065.tif 000004
【図４】
0003549065.tif 000005
【図５】
0003549065.tif 000006